(57)【要約】【課題】メダル移送経路上に当該機構を設けることができるメダル振り分け機構を提供する。【解決手段】メダル移送路１と、移送路１のメダル通過面に連通する第１岐路２と、第１岐路２に重ねて設けられ、その端が上下可動に構成された第２岐路３と、第２岐路を上下に動かすための駆動部とを備える。第２岐路３が下側に移動されたとき、第２岐路３のメダル通過面が移送路１のメダル通過面に接続され、上側に移動されたとき第２岐路３の端が開き、移送路１から第１岐路２へメダルが通過する。【選択図】        図２
2004246483.tif 000002
【特許請求の範囲】
【請求項１】
一方からメダルを受けてこれを他方へ導く移送路と、前記移送路の他方側に設けられ、メダル通過面が前記移送路のメダル通過面に連通する第１岐路と、前記第１岐路に重ねて設けられ、前記移送路側の端が上下可動に構成された第２岐路と、前記第２岐路を上下に動かすための駆動部とを備え、前記第２岐路が一方に移動されたとき、前記第２岐路のメダル通過面が前記移送路のメダル通過面に接続され、他方に移動されたとき、前記第２岐路の接続が開放されるように構成したことを特徴とするメダル振り分け機構。
【請求項２】
一方からメダルを受けてこれを他方へ導く移送路と、前記移送路に重ねて設けられた岐路と、上下可動に構成され、前記移送路のメダル通過面と前記岐路のメダル通過面との接続／開放を行う分岐部と、前記分岐部を上下に動かすための駆動部とを備えたことを特徴とするメダル振り分け機構。
【請求項３】
前記分岐部には前記岐路と前記移送路の間を接続するための傾斜部が形成され、前記分岐部の上下移動に伴って前記傾斜部が前記移送路のメダル通過面と前記岐路のメダル通過面との接続／開放を行うものであることを特徴とする請求項２記載のメダル振り分け機構。
【請求項４】
一方からメダルを受けてこれを他方へ導く移送路と、前記移送路の側方に設けられ、前記移送路と連通する岐路と、を備えるメダル振り分け機構であって、
前記岐路と前記移送路が連通する部分の近傍において前記岐路のメダル通過面の略中心から前記移送路のメダル通過面の略中心にかけてガイド穴が設けられ、前記ガイド穴に沿って移動する突起部と、前記突起部を動かすための駆動部とを備え、前記駆動部により前記突起部は前記岐路のメダル通過面の略中心又は前記移送路のメダル通過面の略中心のいずれかに配置されることを特徴とするメダル振り分け機構。
【請求項５】
前記突起部は、前記岐路側のメダル通過面の略中心に配置されるとき前記移送路の側面と同じ位置に配置され、又は前記移送路のメダル通過面の略中心に配置されるとき前記岐路と反対側に偏って配置され、
前記岐路と前記移送路の角のうちメダルが通過する経路の内側の部分が斜めに形成されていることを特徴とする請求項４記載のメダル振り分け機構。
【請求項６】
一方からメダルを受けてこれを他方へ導く移送路と、前記移送路の他方側に設けられ、それぞれ前記移送路と連通する第１岐路及び第２岐路と、を備えるメダル振り分け機構であって、
前記移送路、前記第１岐路及び前記第２岐路は略Ｙ字形に配置され、
前記第１岐路及び前記第２岐路と前記移送路が連通する部分の近傍において前記第１岐路のメダル通過面の略中心から前記第２岐路のメダル通過面の略中心にかけてガイド穴が設けられ、
前記ガイド穴に沿って移動する突起部と、前記突起部を動かすための駆動部とを備え、前記駆動部により前記突起部は前記第１岐路のメダル通過面の略中心又は前記第２岐路のメダル通過面の略中心のいずれかに配置されることを特徴とするメダル振り分け機構。
【請求項７】
前記突起部は、前記第１岐路側のメダル通過面の略中心であって前記第２岐路の側面と同じ位置に配置され、又は前記第２岐路のメダル通過面の略中心であって前記第１岐路の側面と同じ位置に配置されていることを特徴とする請求項６記載のメダル振り分け機構。
【請求項８】
前記ガイド穴は円弧状をなし、前記突起部は、一端に回転支点をもつ支持部材の他端に設けられ、前記駆動部により前記支持部材を回動させることにより前記突起部は前記ガイド穴に沿って移動することを特徴とする請求項４乃至請求項７いずれかに記載のメダル振り分け機構。
【請求項９】
一方からメダルを受けてこれを他方へ導く移送路と、前記移送路の他方側に設けられ、それぞれ前記移送路と連通する第１岐路及び第２岐路と、を備えるメダル振り分け機構であって、
前記第１岐路と前記移送路の連通部分においてメダル通過面に突出する第１突起部と、前記第２岐路と前記移送路の連通部分においてメダル通過面に突出する第２突起部と、前記第１突起部又は前記第２突起部のいずれか一方を突出させる駆動部とを備えるメダル振り分け機構。
【請求項１０】
前記第１突起部は、メダルが移送路から前記第２岐路へ進むときの経路の側面に沿って設けられ、前記第２突起部は、メダルが移送路から前記第１岐路へ進むときの経路の側面に沿って設けられ、前記第１突起部及び前記第２突起部は棒状又は板状の部材の両端にそれぞれ設けられ、前記部材の略中央に支点が設けられていることを特徴とする請求項９記載のメダル振り分け機構。
【請求項１１】
前記第１突起部は、メダルが移送路から前記第２岐路へ進むときの経路の側面に配置される円弧状の部材であり、前記第２突起部は、メダルが移送路から前記第１岐路へ進むときの経路の側面に配置される円弧状の部材であり、
前記第１突起部は、前記第１岐路のメダル通過面の略中心を回転中心として回動し、前記第２突起部は、、前記第２岐路のメダル通過面の略中心を回転中心として回動することを特徴とする請求項９記載のメダル振り分け機構。
【請求項１２】
一方からメダルを受けてこれを他方へ導く移送路と、前記移送路の側方に設けられ、前記移送路と連通する岐路と、を備えるメダル振り分け機構であって、
前記岐路と前記移送路が連通する部分に前記岐路に対向して設けられたメダル送り出し部と、前記移送路の側壁と同じ位置に設けられた前記岐路の障壁と、前記メダル送り出し部を駆動する駆動部とを備え、前記メダル送り出し部が駆動されるときは前記障壁が除去されることを特徴とするメダル振り分け機構。
【発明の詳細な説明】
【０００１】
【発明の属する技術分野】
この発明は遊技機に用いられる遊技媒体（メダル）の送り出し先を切り替えるためのメダル振り分け機構に関する。
【０００２】
【従来の技術】
スロットマシン等の遊技機にはメダルの投入口が設けられており、遊技者は所定の枚数のメダルを投入してゲームを楽しむことができる。遊技に必要なメダルは、遊技ホール内に設けられたメダル貸機で借りることができる。メダル貸機でメダルを借り、メダルを所望の遊技機のメダル投入口に投入することによりゲームを開始することができる。ゲームにおいて図柄が揃うとメダルの払い出しを受けることができる。メダルの払い出しにホッパ装置が用いられる。ホッパ装置はホッパタンクに貯留されたメダルを制御部の指令に基づき指定枚数だけ払い出す。
【０００３】
従来の遊技機においてホッパ装置の払い出し先は下皿だけであった。これに対して下皿だけでなく、遊技機の操作部の高さにも別のメダル払い出し口（上皿）を設けることが提案されている。このため下皿へ払い出しつつも、選択的に上皿にも払い出せるようにしたいという要求がある。例えば、通常遊技において上皿へ払い出し、大当たりして多量のメダルが払い出されるときは下皿へ払い出す。これに応えるためには下皿、上皿それぞれにホッパ装置を設けることも考えられるが、このやり方は構成が複雑になるとともに費用が増えてしまう。ホッパー装置をひとつで済ますために、ひとつのホッパ装置に複数のメダル払い出し口を設けることも考えられるがこのようなホッパ装置は実用化されていない。そこで、ホッパ装置からメダルを受けて経路の途中で送り出し先を切り替えるためのメダル振り分け装置が求められていた。
【０００４】
払い出しホッパにメダル振り分け機構を設けるものとして、特許文献１に記載された、払い出し先端部で左右に払い出すなどのものがある。
【０００５】
【特許文献１】
特開平１０−４９７２５号公報
【０００６】
【発明が解決しようとする課題】
上記先行技術に記載の装置はメダルを左右それぞれ約９０度方向に払い出すものであり、その差は約１８０度である。このような左右に払い出すメダル振り分け機構ではメダルの払い出し位置に自由度が十分になく、設計上不便である。
【０００７】
そこで、この発明は、設計の際に十分な自由度を得ることのできるメダル振り分け機構を提供することを目的とする。メダル移送経路上に機構を設けて２箇所以上の任意の方向にメダルが払い出されるような機構を提供する。
【０００８】
【課題を解決するための手段】
この発明に係るメダル振り分け機構は、一方からメダルを受けてこれを他方へ導く移送路と、前記移送路の他方側に設けられ、メダル通過面が前記移送路のメダル通過面に連通する第１岐路と、前記第１岐路に重ねて設けられ、前記移送路側の端が上下可動に構成された第２岐路と、前記第２岐路を上下に動かすための駆動部とを備え、前記第２岐路が一方に移動されたとき、前記第２岐路のメダル通過面が前記移送路のメダル通過面に接続され、他方に移動されたとき、前記第２岐路の接続が開放されるものである。これにより前記移送路から前記第１岐路へメダルが通過する。
【０００９】
この発明に係るメダル振り分け機構は、一方からメダルを受けてこれを他方へ導く移送路と、前記移送路に重ねて設けられた岐路と、前記岐路の端の位置に設けられ、上下可動に構成され、前記移送路のメダル通過面と前記岐路のメダル通過面との接続／開放を行う分岐部と、前記分岐部を上下に動かすための駆動部とを備えるものである。前記分岐部が前記岐路側に移動されたとき、前記岐路のメダル通過面が前記移送路のメダル通過面に接続され、前記分岐部が前記移送路側に移動されたとき、前記岐路への接続が開放されることにより前記移送路上をメダルが通過する。
【００１０】
好ましくは、前記分岐部には前記岐路と前記移送路の間を接続するための傾斜部が形成され、前記分岐部の上下移動に伴って前記傾斜部が前記移送路のメダル通過面と前記岐路のメダル通過面との接続／開放を行う。
【００１１】
分岐部とは、上限方向に移動することにより、移送路と岐路のそれぞれのメダル通過面が接続されたり、開放されたりする構造を全て含むものである。例えば、板部材を岐路の端部に上下回動可能に設けておき、この板部材が下方向に回動して移送路と接続したときにメダル通過面が連通するように構成すれば、この板部材は本発明の分岐部に相当する。一例を挙げれば、図４、図５の符号１３の部分が該当する。
【００１２】
この発明に係るメダル振り分け機構は、一方からメダルを受けてこれを他方へ導く移送路と、前記移送路の側方に設けられ、前記移送路と連通する岐路と、を備えるメダル振り分け機構であって、前記岐路と前記移送路が連通する部分の近傍において前記岐路のメダル通過面の略中心から前記移送路のメダル通過面の略中心にかけてガイド穴が設けられ、前記ガイド穴に沿って移動する突起部と、前記突起部を動かすための駆動部とを備え、前記駆動部により前記突起部は前記岐路のメダル通過面の略中心又は前記移送路のメダル通過面の略中心のいずれかに配置されるものである。
【００１３】
例えば、図６（ａ）に示されるように、突起部２３ａは、岐路２２側のメダル通過面の略中心に配置されるとき移送路２１の側面と同じ位置に配置され、又は図６（ｂ）に示されるように、移送路２１のメダル通過面の略中心に配置されるとき岐路２２と反対側に偏って配置される。そして、岐路２２と移送路２１の角（交差部）のうちメダルが通過する経路の内側の部分が斜めに形成されている。
【００１４】
この発明に係るメダル振り分け機構は、一方からメダルを受けてこれを他方へ導く移送路と、前記移送路の他方側に設けられ、それぞれ前記移送路と連通する第１岐路及び第２岐路と、を備えるメダル振り分け機構であって、前記移送路、前記第１岐路及び前記第２岐路は略Ｙ字形に配置され、前記第１岐路及び前記第２岐路と前記移送路が連通する部分の近傍において前記第１岐路のメダル通過面の略中心から前記第２岐路のメダル通過面の略中心にかけてガイド穴が設けられ、前記ガイド穴に沿って移動する突起部と、前記突起部を動かすための駆動部とを備え、前記駆動部により前記突起部は前記第１岐路のメダル通過面の略中心又は前記第２岐路のメダル通過面の略中心のいずれかに配置されるものである。
【００１５】
例えば、図７（ａ）に示されるように、突起部３４は、第１岐路３２側のメダル通過面の略中心であって第２岐路３３の側面と同じ位置（側面の延長線上）に配置され、又は図７（ｂ）に示されるように、第２岐路３３のメダル通過面の略中心であって第１岐路３２の側面と同じ位置に配置される。
【００１６】
例えば、ガイド穴を円弧状にして、突起部２３ａ，３４を一端に回転支点Ｃをもつ支持部材２３の他端に設け、駆動部２４により支持部材２３を回動させることにより突起部２３ａ，３４をガイド穴Ｓに沿って移動させるようにしてもよい。
【００１７】
この発明に係るメダル振り分け機構は、一方からメダルを受けてこれを他方へ導く移送路と、前記移送路の他方側に設けられ、それぞれ前記移送路と連通する第１岐路及び第２岐路と、を備えるメダル振り分け機構であって、前記第１岐路と前記移送路の連通部分においてメダル通過面に突出する第１突起部と、前記第２岐路と前記移送路の連通部分においてメダル通過面に突出する第２突起部と、前記第１突起部又は前記第２突起部のいずれか一方を突出させる駆動部とを備えるものである。
【００１８】
例えば，図８に示すように、第１突起部４１ａは、メダルが移送路３１から第２岐路３３へ進むときの経路の側面に沿って設けられ、第２突起部４１ｂは、メダルが移送路３１から第１岐路３２へ進むときの経路の側面に沿って設けられている。そして、第１突起部４１ａ及び第２突起部４１ｂは棒状又は板状の部材４３の両端にそれぞれ設けられ、部材４３の略中央に支点Ｃが設けられている。
【００１９】
例えば、図９に示すように、第１突起部５１ａは、メダルが移送路３１から第２岐路３３へ進むときの経路の側面に配置される円弧状の部材であり、第２突起部５１ｂは、メダルが移送路３１から第１岐路３２へ進むときの経路の側面に配置される円弧状の部材である。そして、第１突起部５１ａは、第１岐路３２のメダル通過面の略中心を回転中心として回動し、第２突起部５１ｂは、、第２岐路３３のメダル通過面の略中心を回転中心として回動する。
【００２０】
この発明に係るメダル振り分け機構は、一方からメダルを受けてこれを他方へ導く移送路と、前記移送路の側方に設けられ、前記移送路と連通する岐路と、を備えるメダル振り分け機構であって、前記岐路と前記移送路が連通する部分に前記岐路に対向して設けられたメダル送り出し部と、前記移送路の側壁と同じ位置に設けられた前記岐路の障壁と、前記メダル送り出し部を駆動する駆動部とを備え、前記メダル送り出し部が駆動されるときは前記障壁が除去されるものである。
【００２１】
【発明の実施の形態】
発明の実施の形態１．
発明の実施の形態１に係るメダル振り分け機構を図１乃至図３を参照して説明する。図１及び図２はこの装置の斜視図、図３はＡ−Ａ矢視断面図である。図１及び図３（ａ）はメダルが上側の通路を移動する場合を示し、図２及び図３（ｂ）は下側の通路を移動する場合を示す。
【００２２】
これらの図において、１は一方（メダル送出方向の上流側）からメダルを受けてこれを他方（メダル送出方向の下流側）へ導く移送路、２は移送路１の他方側に設けられ、メダル通過面が移送路１のメダル通過面に連通する第１岐路と、３は第１岐路２の上側に重ねて設けられ、移送路１側の端が上下可動に構成された第２岐路、４は第２岐路３を上下に動かすためのソレノイドコイルやモータなどの駆動部である。Ｍはメダルを示す。移送路１の幅はメダルの直径と同じかやや広く、その表面をメダルが滑らかに通過していく。移送路１の両側にはメダルの厚みと同じかやや高い側壁が設けられていて、メダルを所定方向に誘導する。図１の状態において、第２岐路３は移送路１の端にその表面が一致するように接続されている。第２岐路３の他端は９０度右に曲がっていて（側壁が９０度カーブしている）ここからメダルが送り出される。第２岐路３のメダル通過面はやや上り坂になっている。図２の状態において第２岐路３の端が持ち上げられて第２岐路３のメダル通過面が移送路１のメダル通過面に接続されなくなるとともに、第２岐路３の端と第１岐路２の間に隙間が生じている。この高さはメダルの厚みと同じかやや大きい。このため移送路１のメダルは当該隙間を通って第１岐路２に入る。第１岐路２は筒状のメダル移送路である。図３に示されるように、例えば、駆動部４は第２岐路３に一方に設けられたアームに取り付けられていて、駆動部４がその作用部を上下させることに伴い第２岐路３が上下する。図３においてＣは第２岐路３の支点である。
【００２３】
次に動作について説明する。
図１において矢印に示すように下方からメダルが送られてくる。図１及び図３（ａ）の状態では、第２岐路３が下側に移動され、第２岐路３のメダル通過面が移送路１のメダル通過面に接続されているので、下から送られてきたメダルは移送路１を通り第２岐路３の斜面を登り、その出口から送り出される（図１（ｂ）参照）。一方、ソレノイドなどの駆動部４により図２及び図３（ｂ）のように第２岐路３の端が上部に移動すると、第２岐路３と移送路１との接続が開放され、代わって移送路１から第１岐路２への経路が現われ、メダルは第２岐路３の下の第１岐路２を通り、やがて第１岐路２の端部よりメダルが払い出される。
【００２４】
発明の実施の形態１によれば、２つの岐路を重ねて立体的に構成し、その一方を可動式にして移送路に接続したり切り離したり、切り替え可能に構成したので、当該岐路を動かすことによりメダルのいずれか一方の岐路に振り分けることができる。立体的構成を採用したので、装置をコンパクトにまとめることができる。本装置は上下の振り分けを行う場合に適する。
【００２５】
なお、第２岐路３の他端が９０度右に曲がっている例を用いて説明したが、これに限定されないのは言うまでもない。当該部分が左側に曲がっていてもよいし、その角度は９０度以外（例えば、３０度、４５度、６０度など）であってもよいのはもちろんである。
【００２６】
発明の実施の形態１の変形例．
図４及び図５に上記実施の形態の変形例を示す。図４及び図５において、１１は一方からメダルを受けてこれを他方へ導く移送路、１２は移送路１１に重ねて設けられた岐路、１３は岐路１２の端の位置に設けられ、上下可動に構成された分岐部である。なお、分岐部１３を上下に動かすための駆動部の表示は省略しているが、発明の実施の形態１と同様の機構を用いることができる。図４及び図５において、分岐部１３が岐路１２側に移動されたとき、岐路１２のメダル通過面が移送路１１のメダル通過面に接続され、メダルは分岐１２を通過する（図４（ｂ）、図５（ｂ））。分岐部１３が移送路１１側に移動されたとき、岐路１２への接続が開放され、移送路１１上をメダルが通過する（図４（ａ）、図５（ａ））。
【００２７】
具体的には、図４において、分岐部１３は移送路１１内に埋め込まれた２つの三角形の突起である。図４（ａ）のように、これら突起が移送路１１のメダル通過面内に収納されている場合はメダルは移送路１１内を進んでいく。図４（ｂ）のように、突起が起立してその端が岐路１２のメダル通過面と一致するようになると、移送路１１のメダルは突起を登り、岐路１２のメダル面に到達する。なお、この場合において、分岐１３は岐路側に設けられてもよい。また、分岐１３は三角形の突起に代えて板状の部材を用いることができる。
【００２８】
図５において、分岐部１３は移送路１１のメダル通過面の一部である。図５（ｂ）に示すように、落とし穴のように当該部分が下がり、そのメダル通過面が岐路１２のメダル通過面と一致すると、移送路１１のメダルは突起を下り、岐路１２のメダル面に到達する。なお、分岐１３は棒状の部材であってもよい。
【００２９】
図４、図５において、分岐部１３は移送路１１側に設けられていたが、本発明はこれに限定されない。分岐部１３は岐路１２側に設けられてもよい。また、同図において、分岐部１３は岐路１２の端に設けられていたが、本発明はこれに限定されず、中間部分に設けられてもよい。
【００３０】
発明の実施の形態２．
発明の実施の形態２に係るメダル振り分け機構について図６を参照して説明する。図６はこの装置の平面図でありメダルの通過面が示されている。図６（ａ）はメダルが移送路を直進する場合を示し、同図（ｂ）はメダルが分岐へ進む場合を示す。
【００３１】
図６において、２１は一方からメダルを受けてこれを他方へ導く（図６では下から上へ）移送路、２２は移送路２１の側方にこれと交差して（図６ではほぼ直角に）設けられ、移送路２１と連通する岐路である。岐路２２と移送路２１が連通する部分の近傍（図６の装置のほぼ中央部分）において岐路２２のメダル通過面の略中心（岐路２２の中心線と移送路２１の左側のつまり分岐２２側の側面との交点付近）から移送路２１のメダル通過面の略中心（移送路２１の中心線と岐路２２の中心線の交点付近）にかけて円弧状のガイド穴Ｓが設けられている。２３ａはガイド穴Ｓに沿って移動する突起部（ローラ）、２４は突起部２３ａを動かすためのソレノイドコイルやモータの駆動部である。突起部２３ａはメダル通過面から突出していてメダルが進む際の障害物として機能する。Ｍはメダルである。２３は回転支点をＣとするクランクである。クランク２３の一端には突起部２３ａが設けられ、他端（回転支点Ｃの外側である）には駆動部２４の作用アームが取りつけられている。駆動部２４がそのアームを伸ばせば図６（ａ）のように突起部２３ａは左側に移動し、アームを縮めれば同図（ｂ）のように突起部２３ａは右側に移動する。
【００３２】
突起部２３ａは、正確には、岐路２２側のメダル通過面の略中心であって移送路２１の側面と同じ位置に配置され（図６（ａ））、又は移送路２１のメダル通過面の略中心よりもメダルが通過する経路の外側に配置される（同図（ｂ））ことが望ましい。そして、岐路２２と移送路２１の角（交差部）のうちメダルが通過する経路の内側の部分が斜め形成されていることが望ましい（図６の左下の部分）。このようにすることにより、図６（ａ）においてメダルを移送路２１を真っ直ぐに滑らかに進めることができ、図６（ｂ）においてメダルを角にひっかけることなく分岐２２に滑らかに誘導することができる。図６（ｂ）からわかるようにこの際のメダルの経路内に突起部２３ａが入るとメダルの障害になるので好ましくなく、上記斜めの部分からメダル直径分離れた位置に突起部２３ａを配置することが好ましい。
【００３３】
次に動作について説明する。本機構は移送経路２１下にクランク２３が設けてあり、これに取りつけられた（突起部としての）ローラ２３ａがメダルの移送経路を制御する。図６（ａ）ではローラ２３ａが岐路２２を塞ぐので上方向にメダルが移送され、同図（ｂ）では移送路２３の上のほうをローラ２３ａが塞ぐので岐路２２にメダルが移送される。
【００３４】
発明の実施の形態２によれば、移送路の側方に岐路を設け、これらの交差部に切り替え機構を設けた。その突起部を移動させることによりメダルの送り出し先を切り替えることができる。本装置は直線方向と直角方向の切り替えに適する。
【００３５】
発明の実施の形態３．
発明の実施の形態２は移送路の途中で直角方向に分岐するものであった。発明の実施の形態３はＹ字の２つの岐路をもちこれらのいずれかにメダルを分岐させるものである。発明の実施の形態３に係るメダル振り分け機構について図７を参照して説明する。図７はこの装置の平面図でありメダルの通過面が示されている。図７（ａ）はメダルが右側の岐路に進む場合を示し、同図（ｂ）はメダルが左側の岐路へ進む場合を示す。
【００３６】
図７において、３１は一方からメダルを受けてこれを他方へ導く移送路、３２は移送路３１の他方（終端）側に設けられ、移送路３１と連通し、左側へ分岐する第１岐路、３３は移送路３１の他方側に設けられ、移送路３１と連通し、右側へ分岐する第２分岐である。移送路３１、第１岐路３１及び第２岐路３３はＹ字形に配置されている。
【００３７】
第１岐路３２及び第２岐路３３と移送路３１が連通する部分（図の中央部）の近傍において、第１岐路３２のメダル通過面の略中心から第２岐路３３のメダル通過面の略中心にかけて円弧状のガイド穴Ｓが設けられている。３４はこのガイド穴Ｓに沿って移動する突起部（ローラ）である。なお、突起部３４を動かすための駆動部は図示されていないが、発明の実施の形態２で示されたものと同様のものである。具体的には、歯車とモータを組み合わせた機構やソレノイドを用いた機構を用いることができる。これに使用されるクランク（図示せず）の回転支点Ｃは、例えば移送路３１のメダル通過面の中心線上にある。図７の例では回転支点Ｃは分岐３２のメダル通過面の中心線と分岐３３のメダル通過面の中心線の交点でもある。
【００３８】
突起部３４は、第１岐路３２側のメダル通過面の略中心であって第２岐路３３の側面と同じ位置（第２岐路３３の側面の延長線上）に配置され（図７（ａ））、同様に、第２岐路３３のメダル通過面の略中心であって第１岐路３２の側面と同じ位置（第１岐路３２の側面の延長線上）に配置されている（図７（ｂ））。スリット（ガイド穴）Ｓは突起部３４が回転支点Ｃの回りで回動する動作に適合する形状に形成される。このように配置することにより突起部３４が岐路の側面として機能するので突起部であるローラ３４の作用によりメダルが滑らかに進むことができる。
【００３９】
次に動作について説明する。メダルを右側の岐路３３へ分岐させるときは突起部３４を左側に配置し（図７（ａ））、同じく左側の岐路３２へ分岐させるときは突起部３４を右側へ配置する（図７（ｂ））。突起部３４が左右に移動することで、メダルの移送経路が右左と変化する。
【００４０】
本発明の実施の形態３の装置は、発明の実施の形態２に比べ、回転支点Ｃが移動経路下に来ることでコンパクトな機構を形成可能である。
【００４１】
発明の実施の形態４．
発明の実施の形態４に係るメダル振り分け機構について図８を参照して説明する。図８（ａ）はこの装置の平面図でありメダルの通過面が示されている。同図（ｂ）はこの装置の右側面図、同図（ｃ）はこの装置の下側面図である。これらの図はメダルが右側の岐路に進む場合を示している。
【００４２】
図８において、３１は一方からメダルを受けてこれを他方へ導く移送路、３２，３３は移送路３１の他方側に設けられ、それぞれ移送路３１と連通する第１岐路及び第２岐路、４１ａは第１岐路３２と移送路３１の連通部分においてメダル通過面に突出する第１突起部、４１ｂは第２岐路３３と移送路３１の連通部分においてメダル通過面に突出する第２突起部、４２は第１突起部４１ａ又は第２突起部４１ｂのいずれか一方を突出させる駆動部（ソレノイドコイル）、４３は突起部４１ａ，４１ｂが取り付けられる部材である。Ｃは支点であり部材４３はここで支えられ、シーソーのように上下する。
【００４３】
第１突起部４１ａは、メダルが移送路３１から第２岐路３３へ進むときの経路の側面に沿って設けられている。平面図におけるその形状は、メダルが前述のように進むときにメダルの端が描く軌跡に対応している。すなわち、第１突起部４１ａの第２岐路３３側の部分は当該岐路の側面の延長線に一致し、移送路３１側の部分は当該移送路の延長線に一致し、両者の交点付近はメダルの外周形状に一致している。第２突起部４１ｂについても同様である。突起部４１ａ，４１ｂは、例えば厚み０．５ｍｍのステンレス板である。
【００４４】
連通部分のメダル通過面には突起部４１ａ、４１ｂの形状のスリットが設けられ、ここを通って突起部４１ａ，４１ｂが上下する。突起部４１ａ，４１ｂがメダル通過面の下のスリット内に収納されると、表面には障害物が何もない状態になる。突起部４１ａ，４１ｂは棒状又は板状の部材４３の両端にそれぞれ設けられ、部材４３の略中央に支点Ｃが設けられている。このため突起部４１ａ，４１ｂの一方を突出させると他方は自動的に内部に収納される。
【００４５】
次に動作について説明する。発明の実施の形態４の装置は、例えばステンレス板の突起部４１ａ，４１ｂがＹ字の経路を制御する。すなわち、これらが上下に移動して移送経路を塞ぐことによりメダルを振り分けるものである。突起部４１ａ，４１ｂはシーソーのように動く。図８のように第１突起部４１ａが上に凸状態において下から来たメダルは右側の第２岐路に流れる。逆に第２突起部４１ｂが上に凸状態において（図示せず）メダルは左側の第１岐路に流れる。
【００４６】
発明の実施の形態５．
発明の実施の形態５に係るメダル振り分け機構について図９を参照して説明する。図９はこの装置の平面図でありメダルの通過面が示されている。図９（ａ）はメダルが右側の岐路に進む場合を示し、同図（ｂ）はメダルが左側の岐路へ進む場合を示す。
【００４７】
図９において、３１は一方からメダルを受けてこれを他方へ導く移送路、３２，３３は移送路３１の他方側に設けられ、それぞれ移送路３１と連通する第１岐路及び第２岐路、５１ａは第１岐路３２と移送路３１の連通部分においてメダル通過面に突出する第１突起部、５１ｂは第２岐路３３と移送路３１の連通部分においてメダル通過面に突出する第２突起部である。Ｃは回転支点を、Ｍはメダルを示す。なお、図９において第１突起部５１ａ、第２突起部５１ｂを回転させるための駆動部（モータ等）の表示は省略されている。
【００４８】
第１突起部５１ａは、メダルが移送路３１から第２岐路３３へ進むときの経路の側面に配置される円弧状の部材であり、第２突起部５１ｂは、メダルが移送路３１から第１岐路３２へ進むときの経路の側面に配置される円弧状の部材である。円弧状の部材５１ａ，５１ｂは、第１岐路３２のメダル通過面の中心Ｃ、前記第２岐路３３のメダル通過面の中心Ｃを回転中心として回動する。
【００４９】
次に動作について説明する。この装置ではステンレス板の部材５１ａ，５１ｂが回転して移送経路を塞ぐことにより、メダルを左右に振り分ける。このための機構として、歯車とモータを組み合わせた機構やソレノイドを用いた機構を用いることができる。図示されている移動軌跡の中心Ｃが回転支点である。部材５１ａ，５１ｂはそれぞれ９０度回転する。
【００５０】
図９（ａ）において、円弧状の部材５１ａが第１岐路３２上にあり障害物となっているが、同５１ｂは第１岐路３３上から回転移動されているので当該岐路上に障害物がない。したがってメダルは第２岐路３３へ誘導される。メダルは円弧状の部材５１ａの凸部（図ではメダル通過面の中心上にある）に接触し、右側の岐路へ誘導される。図９（ｂ）は部材５１ａと５１ｂの関係が逆になり、左側の岐路３２へメダルが誘導される場合を示す。
【００５１】
なお、この図９において部材が動くためのスリットが図示されていないがスリットを設けてもよい。
【００５２】
発明の実施の形態６．
発明の実施の形態６に係るメダル振り分け機構について図１０を参照して説明する。図１０はこの装置の平面図でありメダルの通過面が示されている。図１０（ａ）はメダルが移送路を真っ直ぐ進む場合を示し、同図（ｂ）はメダルが右側の岐路へ進む場合を示す。
【００５３】
図１０において、６１は一方からメダルを受けてこれを他方へ導く移送路、６２は移送路６１の側方に設けられ、移送路６１と連通する岐路、６３は岐路６２と移送路６１が連通する部分の近傍に設けられたメダル送り出し部、６４は移送路６１の側壁と同じ位置に設けられた岐路６２の障壁、６４はメダル送り出し部６３を付勢して移送路６１内に突出させてメダルを岐路６２へ誘導するための弾性体（例えばコイルバネ）である。
【００５４】
メダル送り出し部６３は中間に位置する支点Ｃを回転中心として回動する。メダル送り出し部６３は斧のような形状をしていて、上部が作用部になっていて当該部分がメダルと接触し岐路６２へ誘導する（いわばたたき出す）。作用部と反対側には弾性体６４が取り付けられていて、作用部は移送路６１の通路側に押し出される。なお、弾性体６４の代わりにソレノイドコイルのような駆動装置を設けてもよい。障壁６５は、例えば岐路６２に設けられた図示しないスリット内を上下し、突出しているときは移送路６１の側面の一部として機能する（図１０（ａ））。障壁６５をスリット内に収納して移送路６１と岐路６２の間の障害をなくすこともできる（図１０（ｂ））。
【００５５】
次に動作について説明する。図１０（ａ）において障壁６５があり、岐路６２への道を閉ざしているのでメダルは移送路６１を進む。図示していないが、移送路６１と岐路６２はメダル一枚の厚みより少し大きな高さの筒状体（その断面はメダル断面よりやや大きく、例えば長方形をなしている）の内部に配置されている。このため、たとえメダル送り出し部６３の作用部が通路内に突出していたとしても先頭のメダルは後続のメダルと重なり合うことなく後続のメダルから押し出され、弾性体６４の弾性力に勝ってメダル送り出し部６３の作用部を押しのけ、前に進むことができる。前記筒状体を備えることが好ましいが、これを備えないものも本発明に含まれる。なお、駆動装置を用いて図１０（ａ）の場合に作用部を通路から引っ込めるようにすればメダルは滑らかに進むことができる。図１０（ｂ）において障壁６５は除去されているので、メダル送り出し部６３の作用部によりメダルは岐路６２へ誘導される。
【００５６】
なお、上記説明において振り分け方向が２つの場合を例に取り説明を加えたが、本発明はこれに限定されない。例えば、岐路を増やすとともにこれに対応して突起部等を増やせば３つ以上の方向に振り分けることができる。あるいは２つ以上の振り分け機構を直列に接続してもよい。また、上記説明において振り分け方向が０度と９０度あるいはＹ字形の振り分けについて説明したが、本発明はこれに限定されない。
【００５７】
本発明は、以上の実施の形態に限定されることなく、特許請求の範囲に記載された発明の範囲内で、種々の変更が可能であり、それらも本発明の範囲内に包含されるものであることは言うまでもない。
【００５８】
【発明の効果】
以上のように、この発明によれば設計の際に十分な自由度を得ることのできるメダル振り分け機構を提供できる。この発明によれば２箇所以上の任意の方向にメダルを払い出すことができる。しかも、メダル移送経路上に当該機構を設けることができるので設計上有利である。
【図面の簡単な説明】
【図１】発明の実施の形態１に係る装置の斜視図である。
【図２】発明の実施の形態１に係る装置の斜視図である。
【図３】発明の実施の形態１に係る装置のＡ−Ａ矢視断面図である。図３（ａ）はメダルが上側の通路を移動する場合を示し、図３（ｂ）は下側の通路を移動する場合を示す。
【図４】発明の実施の形態１の変形例の斜視図である。
【図５】発明の実施の形態１の他の変形例の断面図である。
【図６】発明の実施の形態２に係るメダル振り分け機構の平面図である。
【図７】発明の実施の形態３に係るメダル振り分け機構の平面図である。
【図８】発明の実施の形態４に係るメダル振り分け機構の平面図（図８（ａ）、同右側面図（同図（ｂ）、同下側面図（同図（ｃ））である。
【図９】発明の実施の形態５に係るメダル振り分け機構の平面図である。
【図１０】発明の実施の形態６に係るメダル振り分け機構の平面図である。
【符号の説明】
１    移送路
２    第１岐路
３    第２岐路
４    駆動部
１１    移送路
１２    岐路
１３    分岐部
２１    移送路
２２    岐路
２３    クランク
２３ａ  突起部
２４    駆動部
３１    移送路
３２    第１岐路
３３    第２岐路
３４    突起部
４１ａ  第１突起部
４１ｂ  第２突起部
４２    駆動部
４３    シーソー部材
５１ａ  第１突起部（円弧状の部材）
５１ｂ  第２突起部（円弧状の部材）
６１    移送路
６２    分岐
６３    メダル送り出し部
６４    弾性体
６５    障壁
Ｃ    回転支点、支点
Ｍ    メダル
【図１】
2004246483.tif 000003
【図２】
2004246483.tif 000004
【図３】
2004246483.tif 000005
【図４】
2004246483.tif 000006
【図５】
2004246483.tif 000007
【図６】
2004246483.tif 000008
【図７】
2004246483.tif 000009
【図８】
2004246483.tif 000010
【図９】
2004246483.tif 000011
【図１０】
2004246483.tif 000012